(57)【特許請求の範囲】
【請求項１】
電動機を内蔵し、該電動機により回転駆動する鋸刃を回転可能に保持する本体と、該本体下方に取付けられ、前記鋸刃の一部を下方に突出可能な開口部を有するベースと、前記本体に設けられ前記鋸刃の一部を覆うソーカバーとを有する携帯用電気丸鋸であって、前記鋸刃の切断方向前方にライン状のレーザ光線を照射するレーザ発振器を設けると共に、該レーザ発振器のレーザ光線を前記鋸刃の回転軸方向に平行移動させる平行移動調整機構を設け前記レーザ光線を前記鋸刃の両側面のいずれにも沿わせることができるようにすると共に、前記ベースの切断方向端部近傍に前記鋸刃の刃先部位置を指し示し前記鋸刃の切断方向に延びるガイド面を有し、前記鋸刃の回転軸方向に平行移動可能なガイドピースを設け、前記レーザ光線の一部が前記ガイド手段近傍を照射するようにしたことを特徴とする携帯用電気丸鋸。
【請求項２】
前記レーザ光線が前記鋸刃の切断部近傍も照射可能であることを特徴とする請求項１記載の携帯用電気丸鋸。
【請求項３】
前記レーザ発振器を前記ソーカバー上に載置すると共に、前記ソーカバー上に前記レーザ発振器が発するレーザ光線が通過可能な穴を設け、前記レーザ光線が前記鋸刃の切断部近傍を照射可能としたことを特徴とする請求項１記載の携帯用電気丸鋸。
【発明の詳細な説明】
【０００１】
【発明の属する技術分野】
本発明は、レーザ発振器を備えた携帯電気丸鋸に関するものである。
【０００２】
【従来の技術】
レーザ発振器を備えた従来の携帯用電気丸鋸の一例としてＵＳ５３７５４９５号公報に開示されている携帯用電気丸鋸がある。この携帯用電気丸鋸は、レーザ光線を被切断材上に照射するレーザ発振器をベースの切断方向前方端部付近に設け、レーザ光線を鋸刃の切断部付近に照射する構成をしている。また、レーザ光線を鋸刃の回転軸方向に平行移動させ、鋸刃のいずれかの側面にレーザ光線を沿わせることができるようにするために、レーザ発振器を鋸刃の回転軸方向に平行移動可能に保持している。
【０００３】
【発明が解決しようとする課題】
上記した従来の携帯用電気丸鋸は、被切断材上面に切断の基準となるケガキ線を描き、レーザ発振器から発せられるライン状のレーザ光線を鋸刃に合わせることにより切断作業を行うものであるが、レーザ発振器をベースの切断方向前方端部付近に設けた構成であるために、レーザ発振器が被切断材上のケガキ線の視認性を低下させてしまうものであった。
【０００４】
また、１つのレーザ発振器により切断方向を案内するレーザ光線を被切断材上に照射する構成であるため、切断時の切断幅を作業者に教示させる機能を有さないものであった。
【０００５】
また、レーザ光線を鋸刃のいずれか一方の側面に沿わせる位置に移動させ、切断作業を行うことにより、ケガキ線に沿った精度の良い切断作業を行うことができるものであるが、切断作業に応じて鋸刃のいずれか一方の側面にレーザ光線を沿わせるために、レーザ光線を平行移動させなければならないものであった。また、レーザ光線を鋸刃の側面に沿わせる作業は鋸刃とレーザ光線との関係を直視しながら行うものであり、作業性を低下させてしまうものであった。
【０００６】
本発明の目的は、上記欠点を解消し、１つのレーザ発振器を備えることにより、鋸刃の切断幅を作業者に教示することができ、作業性の良い携帯用電気丸鋸を提供することである。
【０００７】
【課題を解決するための手段】
上記目的は、鋸刃の切断方向前方にライン状のレーザ光線を照射するレーザ発振器を設けると共に、レーザ発振器のレーザ光線を鋸刃の回転軸方向に平行移動させる平行移動調整機構を設けレーザ光線を鋸刃の両側面のいずれにも沿わせることができるようにすると共に、ベースの切断方向端部近傍に鋸刃の刃先部位置を指し示し鋸刃の切断方向に延びるガイド面を有し、鋸刃の回転軸方向に平行移動可能なガイドピースを設け、レーザ光線の一部がガイド手段近傍を照射するようにすることにより達成される。
【０００８】
【発明の実施の形態】
本発明携帯用電気丸鋸の一実施形態を図１〜図１１を用いて以下説明する。
【０００９】
図に示すように携帯用電気丸鋸は、図示しない電動機を内蔵した本体５と、本体５に回転可能に保持され電動機により回転駆動する鋸刃３と、本体５下方に取付けられ、鋸刃３の一部を下方に突出可能な開口部１ａを有するベース１と、本体５に設けられ鋸刃３の上方部を覆うソーカバー２とを有する構成をしている。また、ベース１下方に突出する鋸刃３の一部を覆う形状をしたセーフティカバー４が鋸刃３の回転軸上で回転可能なように保持されている。なお、本体５は鋸刃３の背面側（図２における右側面側）に鋸刃３を回転駆動させる電動機を内蔵した形状をしている。
【００１０】
図に示すようにソーカバー２の上部にレーザ発振器９を内部に有するレーザユニット７が設けられている。レーザ発振器９は鋸刃３の切断方向と平行するレーザ光線８を図に示すように切断方向前方の被切断材上面に照射することができる。
【００１１】
なお、図に示すようにソーカバー２にはレーザ発振器９が発するレーザ光線８が通過可能な範囲にソーカバー２内部と連通する穴２ａを設けた構成をしており、レーザ光線８が切断方向前方を照射すると共にソーカバー２内の鋸刃３の切断部近傍も照射するようにしている。
【００１２】
図３及び図４に示すように、レーザ発振器９は鋸刃３の回転軸方向に平行なガイドバー１０に案内されることにより、レーザ光線８を鋸刃３の回転軸方向に平行移動させることができるようになっている。
【００１３】
図３、図６に示すように、セーフティカバー４は、鋸刃３が露出する方向Ａに回動したとき、レーザ発振器９側のセーフティカバー４の端部は、照射されるライン状のレーザ光線８を透過させる透過手段として長溝１２が設けられている。
【００１４】
図７に示すように、ベース１の切断方向前方端部付近に、鋸刃３の切断方向を指し示すガイド面１３ａ、１３ｂと、鋸刃３の回転軸方向に延びる長穴１３ｃを有し長穴１３ｃを介してボルト１５によりベース１に取付けられたガイドピース１３が設けられている。ガイドピース１３はボルト１５を緩めることにより、鋸刃３の回転軸方向に移動可能となっており、ガイド面１３ａを鋸刃３のいずれかの側面に沿わせることが可能となっている。なお、ガイド面１３ａはベース１底面と鋸刃３との角度を９０度とした際に鋸刃３の切断方向を指し示すために設けられ、ガイド面１３ｂはベース１底面と鋸刃３との角度を４５度とした際に鋸刃３の切断方向を指し示すために設けられている。
【００１５】
図に示すようにレーザ発振器９により発せられるレーザ光線８は、ガイドピース１３付近を照射可能となっており、レーザ発振器９あるいはガイドピース１３を鋸刃３の回転軸方向に平行移動させることにより、レーザ光線８とガイド面１３ａ、１３ｂとを一致させることができる。
【００１６】
携帯用電気丸鋸に使用される鋸刃３には種々の形状のものが存在し、鋸刃３の刃先部の幅Ｗによる切断幅Ｗ’は鋸刃３の種類によって変わるものである。また、鋸刃３とベース１底面との角度を変更した場合にはガイドピース１３に対する鋸刃３の位置が変わる。このため、従来の携帯用電気丸鋸ではガイドピース１３を鋸刃３のいずれかの側面に精度良く沿わせる作業は困難であったが、上記したように本発明携帯用電気丸鋸の構成とすることにより、レーザ光線８を鋸刃３の回転軸方向に平行移動させ鋸刃３の一方の側面に沿わせた状態でガイドピース１３をレーザ光線８に沿わせることにより、ガイドピース１３を精度良く鋸刃３の側面に沿わせることができるようになる。このため、レーザ光線８を使用しないで切断作業を行う際においても、ガイドピース１３のガイド面１３ａを利用することにより、比較的精度の良い切断作業を行うことができるようになる。
【００１７】
また、上記作業によりガイドピース１３のガイド部であるガイド面１３ａあるいはガイド面１３ｂを鋸刃３の一方の側面位置Ｂに沿わせた状態で、ガイドバー１０を案内としてレーザ発振器９を平行移動させ、ライン状のレーザ光線８をガイドピース１３のガイド部が指し示す側面位置Ｂと相対するの側面位置Ｃにあわせる。これにより、図７、図８に示すように、ガイドピース１３のガイド面１３ａとライン状のレーザ光８の相対する間隔Ｗが、鋸刃３の切断幅Ｗ’と一致することとなる。
【００１８】
図９、図１０に示すように、被切断材１１に四角のケガキ線１４の寸法Ｆ内側で窓穴明けの切断をする際には、セーフティカバー４をＡ方向に回動させ鋸刃３を露出させる。この時、レーザユニット７側のセーフティカバー４の端部には長溝１２が設けられているので、セーフティカバー４がＡ方向に回動しても上面に鋸刃３の切断方向に平行なライン状のレーザ光線８が鋸刃３の切断部近傍の被切断材上面１１を照射する。次ぎにライン状のレーザ光８をケガキ線１４に合わせ鋸刃３を被切断材材１１の方に押し進め切断する。切断中も切断基準線となるケガキ線１４と鋸刃３の刃先位置Ｃを示すライン状のレーザ光８が合わせられるので、切断中もケガキ線１４との位置がライン状のレーザ光８で確認できる。また、四角のケガキ線１４の寸法Ｆの外側を切断する際は、ガイドピース１３の表示する刃先位置Ｂをケガキ線１４に合わせ同様に切断する。
【００１９】
次に本発明携帯用電気丸鋸の他の実施形態を図１２、図１３を用いて説明する。
【００２０】
図に示す実施形態は、レーザ発振器９が発するレーザ光線８が切断方向前方の被切断材上のみを照射可能な構成としたものである。上記実施形態では、鋸刃３の切断部近傍をレーザ光線８が照射可能な構成としたため、鋸刃３に対するレーザ光線８の位置を容易に把握することができる構成であったが、本実施形態では、ベース１上のガイド部材１３を利用することによりレーザ光線８と鋸刃３との位置関係を把握することができるようにしたものである。
【００２１】
図に示すようにベース１の切断方向前方端部には、ガイド部となるガイド面１６ａを有した凹部１６が設けられている。ガイド面１６ａは鋸刃３の刃先部の中央位置と一致するように配置されている。図に示すようにレーザ発振器９から発せられるレーザ光線８はガイド面１６ａと一致することが可能な範囲でベース１の切断方向前方端部付近を照射している。これによって、ガイド面１６ａを基準としてガイド面１６ａとレーザ光線８との位置関係を調整することによりレーザ光線８と鋸刃３との関係を容易に把握することができるようになる。
【００２２】
なお、本実施形態は携帯用電気丸鋸を例として説明したが、携帯用電気溝切や携帯用電気カッタなどの切断機にも応用可能である。また、本実施形態においてセーフティカバー４の端部は、ライン状のレーザ光８を透過させるように長溝１２が設けられているが、セーフティカバー４の少なくとも端部を一部もしくは全部透明にしライン状レーザ光８を透過させるようにしても同様の効果が得ることができる。また、ガイド部として鋸刃３の切断方向に延びる面を有するガイド面を例に取り説明したが、凸形状あるいは凹形状のガイド部材であってもよい。
【００２３】
【発明の効果】
本発明によれば、１つのレーザ発信器を備えるのみで、レーザ光線をガイドピースの表示位置と相対する側面に沿わせることで鋸刃の切断幅を容易に作業者に教示することができ、作業性の良い携帯用電気丸鋸を提供することができるようになる。
【図面の簡単な説明】
【図１】本発明携帯用電気丸鋸の一実施形態を示す正面図。
【図２】図１の側面図。
【図３】図５のＡ−Ａ線部要部拡大断面図。
【図４】図１の携帯用電気丸鋸におけるレーザ発振器の平行移動時の状態を示す説明図。
【図５】図１の携帯用電気丸鋸におけるレーザ発振器の照射範囲を示す側面図。
【図６】図１の携帯用電気丸鋸におけるセーフティカバーの動作位置を示す一部断面図。
【図７】図１の携帯用電気丸鋸におけるベースの切断方向前方端部付近を示す要部拡大平面図。
【図８】切断時の鋸刃と被切断材を示す要部拡大図。
【図９】被切断材のケガキ線内寸とライン状のレーザ光の位置を示す斜視図。
【図１０】被切断材のケガキ線外寸とライン状のレーザ光の位置を示す斜視図。
【図１１】被切断材を切り抜く作業の側面図。
【図１２】本発明携帯用電気丸鋸の他の実施形態を示す正面図。
【図１３】図１２の携帯用電気丸鋸におけるベースの切断方向前方端部付近を示す要部拡大平面図。
【符号の説明】
２はソーカバー、３は鋸刃、４はセーフティカバー、７はレーザユニット、８はレーザ光線、９はレーザ発振器、１３はガイドピースである。
【図１】
0003829673.tif 000002
【図２】
0003829673.tif 000003
【図３】
0003829673.tif 000004
【図４】
0003829673.tif 000005
【図５】
0003829673.tif 000006
【図６】
0003829673.tif 000007
【図７】
0003829673.tif 000008
【図８】
0003829673.tif 000009
【図９】
0003829673.tif 000010
【図１０】
0003829673.tif 000011
【図１１】
0003829673.tif 000012
【図１２】
0003829673.tif 000013
【図１３】
0003829673.tif 000014